【誤訳訂正書】
【提出日】平成20年6月11日(2008.6.11)
【誤訳訂正１】
【訂正対象書類名】明細書
【訂正対象項目名】特許請求の範囲
【訂正方法】変更
【訂正の内容】
【特許請求の範囲】
【請求項１】
固体支持体と対合しそして核酸と更に対合している、ポリヌクレオチドを捕捉するためのビーズであって、該固体支持体が小孔のアレーおよびナノリットルウェルを含む多ウェル支持体よりなる群から選ばれる、ビーズ。
【請求項２】
ビーズが、シリカゲル、ガラス、磁石、４−（ヒドロキシメチル）フェノキシメチルコポリ（スチレン−１％ジビニルベンゼン）樹脂、クロロメチル化コポリスチレン−ジビニルベンゼン樹脂、金属、プラスチック、セルロース、エピクロルヒドリンで架橋したデキストラン、およびアガロースよりなる群から選ばれる物質から調製されたものである、請求項１に記載のビーズ。
【請求項３】
ビーズが膨潤性（swellable）である、請求項１に記載のビーズ。
【請求項４】
ビーズが非膨潤性である、請求項１に記載のビーズ。
【請求項５】
ビーズの直径が１から１００μｍの範囲である、請求項１に記載のビーズ。
【請求項６】
核酸がＤＮＡである、請求項１に記載のビーズ。
【請求項７】
核酸がＲＮＡである、請求項１に記載のビーズ。
【請求項８】
ビーズを核酸と対合させる工程およびビーズを固体支持体と対合させる工程を含む、固体支持体と対合しそして核酸と更に対合しているビーズの製造方法であって、該固体支持体は小孔のアレーおよびナノリットルウェルを含む多ウェル支持体よりなる群から選ばれる該製造方法。
【請求項９】
ビーズが官能化されている、請求項８に記載の製造法。
【請求項１０】
ビーズが、カルボキシ官能基で官能化されている、請求項９に記載の製造法。
【請求項１１】
ビーズが、アミノ官能基で官能化されている、請求項９に記載の製造法。
【請求項１２】
ビーズを固体支持体と対合させる前に、ビーズを核酸と対合させる、請求項９に記載の製造法。
【請求項１３】
ビーズを固体支持体と対合させた後に、ビーズを核酸と対合させる、請求項９に記載の製造法。
【請求項１４】
ｉ）ビーズ、
ｉｉ）不溶性支持体、および
ｉｉｉ）核酸を該ビーズに結合させるためのおよび該ビーズを該支持体に結合させるための１以上の対合試薬、ここで、固体支持体は、小孔のアレーおよびナノリットルウェルを含む多ウェル支持体よりなる群から選ばれる、
を含むキット。
【請求項１５】
ビーズが、シリカゲル、ガラス、磁石、ｐ−ベンジルオキシベンジルアルコールコポリスチレン−ジビニルベンゼン（ＤＶＢ）樹脂、クロロトリチルクロリドコポリスチレン−ＤＶＤ樹脂、クロロメチル化コポリスチレン−ＤＶＤ樹脂、金属、プラスチック、セルロース、架橋デキストラン、およびアガロースゲルよりなる群から選ばれる物質から調製されたものである、請求項１４に記載のキット。
【請求項１６】
対合が架橋剤により行われる、請求項１に記載のビーズ。
【請求項１７】
対合が架橋剤により行われる、請求項８に記載の方法。
【請求項１８】
核酸がペプチド核酸を含む、請求項１に記載のビーズ。
【請求項１９】
対合が光切断性結合により行われる、請求項１に記載のビーズ。
【請求項２０】
結合が、レーザーにさらされることにより切断される、請求項１９に記載のビーズ。
【請求項２１】
結合が、紫外線、可視光線、赤外線、または蛍光または化学発光から生ずる電磁波放射線から選ばれる電磁波放射線、またはそれらの組合せにさらされることにより切断される、請求項１９に記載のビーズ。
【請求項２２】
固体支持体が小孔のアレーを含む、請求項１に記載のビーズ。
【請求項２３】
ビーズが、アレーの小孔内で支持体に対合する、請求項１に記載のビーズ。
【請求項２４】
固体支持体が、ナノリットルウェルを含む多ウェル支持体である、請求項１に記載のビーズ。
【請求項２５】
ビーズが、支持体のウェル内で支持体に対合する、請求項１に記載のビーズ。
【請求項２６】
固体支持体に対するビーズの対合および／またはビーズに対する核酸の対合が、イオン性、共有結合性、極性または疎水性の相互作用により行われる、請求項１に記載のビーズ。
【請求項２７】
固体支持体に対するビーズの対合および／またはビーズに対する核酸の対合が、イオン性の相互作用により行われる、請求項２６に記載のビーズ。
【請求項２８】
固体支持体に対するビーズの対合および／またはビーズに対する核酸の対合が、共有結合性の相互作用により行われる、請求項２６に記載のビーズ。
【請求項２９】
固体支持体に対するビーズの対合および／またはビーズに対する核酸の対合が、極性の相互作用により行われる、請求項２６に記載のビーズ。
【請求項３０】
固体支持体に対するビーズの対合および／またはビーズに対する核酸の対合が、疎水性の相互作用により行われる、請求項２６に記載のビーズ。
【請求項３１】
ａ）ビーズを固体支持体に対合させそしてビーズを核酸分子に更に対合させること、ただし、固体支持体は、小孔のアレーおよびナノリットルウェルを含む多ウェル支持体よりなる群から選ばれる；
ｂ）該固体支持体に対合させそして更に核酸に対合させたビーズに、標的核酸を含むサンプルを接触させること；および
ｃ）捕捉された標的核酸を分光測定法により検出すること、
を含む、方法。
【請求項３２】
固体支持体が小孔のアレーを含む、請求項３１に記載の方法。
【請求項３３】
ビーズが、アレーの小孔内で支持体に対合する、請求項３２に記載の方法。
【請求項３４】
固体支持体が、ナノリットルウェルを含む多ウェル支持体である、請求項３１に記載の方法。
【請求項３５】
ビーズが、支持体のウェル内で支持体に対合する、請求項３４に記載の方法。
【請求項３６】
ａ）固体支持体に対合させそして核酸分子に更に対合させたビーズを含む組成物を提供すること、ただし、固体支持体は、小孔のアレーを有する支持体およびナノリットルウェルを含む多ウェル支持体よりなる群から選ばれる；
ｂ）該組成物に、標的核酸を含むサンプルを接触させること；および
ｃ）捕捉された標的核酸を分光測定法により検出すること、
を含む、方法。
【請求項３７】
固体支持体が小孔のアレーを含む、請求項３６に記載の方法。
【請求項３８】
ビーズが、アレーの小孔内で支持体に対合する、請求項３７に記載の方法。
【請求項３９】
固体支持体が、ナノリットルウェルを含む多ウェル支持体である、請求項３６に記載の方法。
【請求項４０】
ビーズが、支持体のウェル内で支持体に対合する、請求項３９に記載の方法。
【請求項４１】
固体支持体に対するビーズの対合および／またはビーズに対する核酸の対合が、酸不安定性結合により行われる、請求項１に記載のビーズ。
【請求項４２】
核酸が一本鎖である、請求項１に記載のビーズ。
【請求項４３】
核酸が一本鎖である、請求項８に記載の方法。
【請求項４４】
核酸が一本鎖である、請求項３１に記載の方法。
【請求項４５】
核酸が一本鎖である、請求項３６に記載の方法。
【請求項４６】
ａ）固体支持体に対合させそして核酸に更に対合させたビーズを標的核酸に接触させること、ここで、該ビーズに対合した核酸とハイブリダイズする標的核酸が捕捉され、固体支持体は、小孔のアレーおよびナノリットルウェルを含む多ウェル支持体よりなる群から選ばれる；および
ｂ）捕捉された標的核酸を検出すること、
を含む、方法。
【請求項４７】
ビーズに対合した核酸が一本鎖である、請求項４６に記載の方法。
【請求項４８】
固体支持体が小孔のアレーを含む、請求項４６に記載の方法。
【請求項４９】
ビーズが、アレーの小孔内で支持体に対合する、請求項４８に記載の方法。
【請求項５０】
固体支持体が、ナノリットルウェルを含む多ウェル支持体である、請求項４６に記載の方法。
【請求項５１】
ビーズが、支持体のウェル内で支持体に対合する、請求項５０に記載の方法。
【請求項５２】
固体支持体に対するビーズの対合および／またはビーズに対する核酸の対合が、イオン性、共有結合性、極性または疎水性の相互作用により行われる、請求項４６に記載の方法。
【請求項５３】
固体支持体に対するビーズの対合および／またはビーズに対する核酸の対合が、イオン性の相互作用により行われる、請求項５２に記載の方法。
【請求項５４】
固体支持体に対するビーズの対合および／またはビーズに対する核酸の対合が、共有結合性の相互作用により行われる、請求項５２に記載の方法。
【請求項５５】
固体支持体に対するビーズの対合および／またはビーズに対する核酸の対合が、極性の相互作用により行われる、請求項５２に記載の方法。
【請求項５６】
固体支持体に対するビーズの対合および／またはビーズに対する核酸の対合が、疎水性の相互作用により行われる、請求項５２に記載の方法。
【請求項５７】
核酸を分光測定法により検出する、請求項４６に記載の方法。
【請求項５８】
分光測定法が蛍光検出を含む、請求項５７に記載の方法。
【請求項５９】
捕捉標的核酸が生物学的サンプル由来である、請求項４６に記載の方法。
【請求項６０】
ビーズに対合する核酸がＤＮＡである、請求項４６に記載の方法。
【請求項６１】
ビーズに対合する核酸がＲＮＡである、請求項４６に記載の方法。
【請求項６２】
ａ）固体支持体に結合させそして核酸に更に結合させたビーズを標的核酸と接触させること、ここで、該ビーズに結合した核酸とハイブリダイズする標的核酸が捕捉され、固体支持体は、小孔のアレーおよびナノリットルウェルを含む多ウェル支持体よりなる群から選ばれる；および
ｂ）捕捉された標的核酸を検出すること、
を含む、方法。
【請求項６３】
ビーズに結合した核酸が一本鎖である、請求項６２に記載の方法。
【請求項６４】
ビーズに結合した核酸がＤＮＡである、請求項６２に記載の方法。
【請求項６５】
固体支持体が、ナノリットルウェルを有する多ウェル支持体である、請求項６２に記載の方法。
【請求項６６】
核酸を分光測定法により検出する、請求項６２に記載の方法。
【請求項６７】
分光測定法が蛍光検出を含む、請求項６６に記載の方法。
【請求項６８】
固体支持体に結合させそして核酸に更に結合させた、ポリヌクレオチドを捕捉するためのビーズであって、該固体支持体が小孔のアレーおよびナノリットルウェルを含む多ウェル支持体よりなる群から選ばれる、ビーズ。
【請求項６９】
ビーズに結合した核酸が一本鎖である、請求項６８に記載のビーズ。
【請求項７０】
ビーズに結合した核酸がＤＮＡである、請求項６８に記載のビーズ。
【請求項７１】
固体支持体に対合しそして核酸と更に対合している、ポリヌクレオチドを捕捉するためのビーズであって、ここで、ビーズは、イオン性の相互作用、極性の相互作用および疎水性の相互作用よりなる群から選択される相互作用により、固体支持体と対合し；そして、固体支持体が、ガラス支持体、シリコンウエハー、小孔のアレーを有する支持体およびナノリットルウェルを有する支持体から選択される、ビーズ。
【請求項７２】
相互作用がイオン性の相互作用である、請求項７１に記載のビーズ。
【請求項７３】
相互作用が極性の相互作用である、請求項７１に記載のビーズ。
【請求項７４】
相互作用が疎水性の相互作用である、請求項７１に記載のビーズ。
【請求項７５】
固体支持体がガラス表面である、請求項７１に記載のビーズ。
【請求項７６】
固体支持体が小孔のアレーを有する支持体である、請求項７１に記載のビーズ。
【請求項７７】
固体支持体がナノリットルウェルを有する支持体である、請求項７１に記載のビーズ。
【請求項７８】
ビーズに結合した核酸がＤＮＡである、請求項７１に記載のビーズ。
【請求項７９】
ビーズに結合した核酸がＲＮＡである、請求項７１に記載のビーズ。
【請求項８０】
ビーズに結合した核酸が標的核酸にハイブリダイズされる、請求項７１に記載のビーズ。
【請求項８１】
固体支持体がシリコンウエハーである、請求項７１に記載のビーズ。
【誤訳訂正２】
【訂正対象書類名】図面
【訂正対象項目名】図１
【訂正方法】変更
【訂正の内容】
【図１】
2001501967.tif 000001
【誤訳訂正３】
【訂正対象書類名】図面
【訂正対象項目名】図２
【訂正方法】変更
【訂正の内容】
【図２】
2001501967.tif 000002
【誤訳訂正４】
【訂正対象書類名】図面
【訂正対象項目名】図３
【訂正方法】変更
【訂正の内容】
【図３】
2001501967.tif 000003
【誤訳訂正５】
【訂正対象書類名】図面
【訂正対象項目名】図４
【訂正方法】変更
【訂正の内容】
【図４】
2001501967.tif 000004
【誤訳訂正６】
【訂正対象書類名】図面
【訂正対象項目名】図５
【訂正方法】変更
【訂正の内容】
【図５】
2001501967.tif 000005
【誤訳訂正７】
【訂正対象書類名】図面
【訂正対象項目名】図６
【訂正方法】変更
【訂正の内容】
【図６】
2001501967.tif 000006
【誤訳訂正８】
【訂正対象書類名】図面
【訂正対象項目名】図７
【訂正方法】変更
【訂正の内容】
【図７】
2001501967.tif 000007
【誤訳訂正９】
【訂正対象書類名】図面
【訂正対象項目名】図８
【訂正方法】変更
【訂正の内容】
【図８】
2001501967.tif 000008
【誤訳訂正１０】
【訂正対象書類名】図面
【訂正対象項目名】図１０
【訂正方法】変更
【訂正の内容】
【図１０】
2001501967.tif 000009
【誤訳訂正１１】
【訂正対象書類名】図面
【訂正対象項目名】図１１
【訂正方法】変更
【訂正の内容】
【図１１】
2001501967.tif 000010
【誤訳訂正１２】
【訂正対象書類名】図面
【訂正対象項目名】図１２
【訂正方法】変更
【訂正の内容】
【図１２】
2001501967.tif 000011
【誤訳訂正１３】
【訂正対象書類名】図面
【訂正対象項目名】図１３
【訂正方法】変更
【訂正の内容】
【図１３】
2001501967.tif 000012
【誤訳訂正１４】
【訂正対象書類名】図面
【訂正対象項目名】図１４
【訂正方法】変更
【訂正の内容】
【図１４】
2001501967.tif 000013
【誤訳訂正１５】
【訂正対象書類名】図面
【訂正対象項目名】図１５
【訂正方法】変更
【訂正の内容】
【図１５】
2001501967.tif 000014